(57)【要約】      （修正有）【課題】意匠性に優れ、かつ施工が容易であって、リフォーム時などにおいて、後付けが可能なドア枠の取付構造を提供する。【解決手段】このドア枠の取付構造１は、壁体Ｃに形成された開口部の相対する壁面に、壁体Ｃの厚さよりも幅狭な下地材２をそれぞれ取り付け、各下地材２の表面に縦框４を当接させて固定するとともに、各縦框４の上端部を横框５で相互に連結したもので、縦框４を、その横幅が、壁体Ｃの厚みと同一になるよう構成しているので、縦框４の側面が、壁体Ｃの側面と面一になることにより、すっきりとした外観を与え、意匠性に極めて優れている。【選択図】図１
0003204489.tif 000002
【実用新案登録請求の範囲】
【請求項１】
壁体に形成された開口部の相対する壁面に、前記壁面の厚さよりも幅狭な下地材をそれぞれ取り付け、前記各下地材の表面に縦框を当接させて固定するとともに、前記各縦框の上端部を横框で相互に連結し、
前記縦框を、その横幅が、前記壁体の厚みと同一になるよう構成したこと
を特徴とするドア枠の取付構造。
【請求項２】
前記縦框は、
前記壁体の開口部と相対する面に、前記下地材の表面が係合する嵌合部が形成されていること
を特徴とする請求項１に記載のドア枠の取付構造。
【請求項３】
前記嵌合部は、
その深さが、前記下地材の厚みよりも小さくなるように形成されていること
を特徴とする請求項２に記載のドア枠の取付構造。
【請求項４】
前記縦框と壁体の端面との間に形成される隙間に、前記壁体の下端部に付設される巾木の先端部を挿入させたこと
を特徴とする請求項２又は３に記載のドア枠の取付構造。
【考案の詳細な説明】
【技術分野】
【０００１】
この考案は、構築物の壁体に形成された開口部に、ドアを取り付けるためのドア枠の取付構造に関するものである。
より具体的には、意匠性に優れ、かつ施工が容易であって、リフォーム時などにおいて後付けが可能なドア枠の取付構造に関するものである。
【背景技術】
【０００２】
構築物の壁体には、多種多様なドア（建具）が取り付けられている。
かかるドアを装着するには、壁体に形成された開口部に、ドアを装着するためのドア枠（壁框）を設ける必要がある。
【０００３】
一般的に、壁体に設けられた開口部へのドアの装着は、左右壁框と上枠とをあらかじめ枠組みした後に、前記開口部に取り付ける施工方法によって行われている。
具体的には、図５に示すように、
１．横框２３と左右の縦框２４，２４とを、あらかじめ枠組みして門型の開口枠を構成する（図５（ａ）参照）。
２．この門型の開口枠の左右の縦框２４，２４を、ドア枠を取り付けようとする壁体Ｃ，Ｃ間の開口部Ｘ（図２参照）の壁体に嵌め込み、図示しないが、ネジや接着剤などの固着具などによって固定する（図５（ｂ）参照）。
３．この開口部Ｘの外壁体に、石膏ボードなどからなる壁面ボード２８を貼り付ける。（図５（ｃ）参照）。
４．前記壁面ボード２８の下端部に、巾木２７を取り付ける（図５（ｄ）参照）。
５．前記壁面ボード２８の表面に、壁体紙２９を貼着すること（図５（ｅ）参照）。
によって施工している。
【０００４】
かかるドア枠の取付構造の一例が、例えば、特開２００９−０４６８０５号公報（特許文献１）及び特開２００９−１２７２６６号公報（特許文献２）に開示されている。
【０００５】
前記特許文献１においては、厚みの異なる建具枠を準備や調整のための部材の省略、さらには、煩雑な作業を省略することができる建具枠の取付構造が提案されている。
【０００６】
この建具枠の取付構造は、具体的には、
壁体に設けられた開口部に、建具を支持する建具枠を取り付けた取付構造であって、
前記壁体と前記建具枠との間に、前記壁体の厚みよりも薄い中間枠
を設けたものである。
【０００７】
前記特許文献２においては、従来の開口枠のように、内壁体の表面から開口壁框が突出するようなことがなく、開口壁框が目立たず、すっきりとした外観となり、意匠性に優れた開閉建具の開口壁框取付構造が提案されている。
【０００８】
この開閉建具の開口壁框取付構造は、具体的には、
建て付け開口部の内側面に、壁框部材を取付けて構成される取付構造であって、
前記壁框部材は、前記開閉建具の端面及び端部近傍背面に近接対向されて、前記開閉建具の端部を、受入れる凹所を形成するようにして、
前面側に突設された位置決め用突片部を有し、
前記位置決め用突片部の前端面と、内壁体部の表面とを略面一にしているもの
である。
【先行技術文献】
【特許文献】
【０００９】
【特許文献１】特開２００９−０４６８０５号公報（特許請求の範囲，図１）
【特許文献２】特開２００９−１２７２６６号公報（特許請求の範囲，図１）
【考案の概要】
【考案が解決しようとする課題】
【００１０】
従来のドア枠の取付構造は、ドア枠（壁框）は、その側面が取り付けられる壁体およびその下端部に配設される、巾木の表面から突出するように構成されるため、見栄えが悪いという問題があった。
【００１１】
さらに、リフォームに際して、ドア枠を壁体に後付けする場合、この壁体には、すでに巾木が取り付けられているので、ドア枠を取り付けるためには、前記巾木をあらかじめ切断することが必要になるという問題もあった。
【００１２】
さらにまた、前記特許文献１に記載の取付構造においては、中間枠の幅は壁体の厚みよりも薄く形成されているので、壁体に施されるクロスや、モルタルなどにより形成された仕上げ面に対して、中間枠の露出面が一段奥深い状態となり、仕上げ面から建具枠までの視覚的な連続性が途切れてしまう。
したがって、意匠性の面で、十分とは言えないものである。
【００１３】
さらにまた、前記特許文献２記載の取付構造は、壁框部材として、ドア枠を壁体に後付けすることを目的としてものではない。
【００１４】
この考案はかかる現状に鑑み、意匠性に優れ、かつ施工が容易であって、リフォーム時などにおいて、後付けが可能なドア枠の取付構造を提供せんとするものである。
【課題を解決するための手段】
【００１５】
前記目的を達成するため、この考案にかかる請求項１に記載のドア枠の取付構造は、
壁体に形成された開口部の相対する壁面に、前記壁面の厚さよりも幅狭な下地材をそれぞれ取り付け、前記各下地材の表面に縦框を当接させて固定するとともに、前記各縦框の上端部を横框で相互に連結し、
前記縦框を、その横幅が、前記壁体の厚みと同一になるよう構成したこと
を特徴とするドア枠の取付構造である。
【００１６】
この考案の請求項２に記載の考案は、
請求項１に記載のドア枠の取付構造において、
前記縦框は、
前記壁体の開口部と相対する面に、前記下地材の表面が係合する嵌合部が形成されていること
を特徴とするものである。
【００１７】
この考案の請求項３に記載の考案は、
請求項２に記載のドア枠の取付構造において、
前記嵌合部は、
その深さが、前記下地材の厚みよりも小さくなるように形成されていること
を特徴とするものである。
【００１８】
この考案の請求項４に記載の考案は、
請求項２又は３に記載のドア枠の取付構造において、
前記縦框と壁体の端面との間に形成される隙間に、前記壁体の下端部に付設される巾木の先端部を挿入させたこと
を特徴とするものである。
【考案の効果】
【００１９】
この考案にかかるドア枠の取付構造は、壁体に形成された開口部の相対する壁面に、前記壁面の厚さよりも幅狭な下地材をそれぞれ取り付け、前記各下地材の表面に縦框を当接させて固定するとともに、前記各縦框の上端部を横框で相互に連結したもので、前記縦框を、その横幅が、前記壁体の厚みと同一になるよう構成したものである。
したがって、前記縦框の側面が、前記壁体の側面と面一になることにより、すっきりとした外観を与えるので、意匠性に極めて優れたものである。
【００２０】
また、前記ドア枠の取付構造において、前記嵌合部の深さを、前記下地材の厚みよりも小さくすることで、前記壁体の内壁端面と縦框との間に隙間が形成されるので、この隙間に巾木の先端部を折り込むことによって、壁全体の意匠性を向上させることができる。

【図面の簡単な説明】
【００２１】
【図１】この考案にかかるドア枠の取付構造の一例を示す斜視図である。
【図２】この考案にかかるドア枠の取付構造の一例を示す平面図である。
【図３】この考案にかかるドア枠の取付構造の施工方法の一例を示す説明図である。
【図４】この考案にかかるドア枠の取付構造の他の例を示す斜視図である。
【図５】従来のドア枠の取付構造の施工方法を示す説明図である。
【考案を実施するための形態】
【００２２】
以下、この考案にかかるドア枠の取付構造の一実施例を、添付の図面に基づいて具体的に説明する。
なお、この考案のドア枠の取付構造は、図示の実施例に限定されるものではなく、考案の要旨を変更しない範囲内で改良を加えることができるものである。
【００２３】
このドア枠の取付構造１は、図２に示すように、壁体Ｃ，Ｃ間に形成された開口部Ｘにドア枠Ｄを取り付けるためのものであって、前記開口部Ｘの相対する前記内壁面７，７の前面には、それぞれ平板状の下地材２が設けられ、その上端部は、図１に示されるように連結板３によって相互に連結され門型に形成されている。
【００２４】
前記ドア枠Ｄは、それぞれ前記壁体Ｃの厚みと同幅の左右一対の縦框４、４と、これら縦框４，４の上端部を相互に連結する横框５で門型に構成されたものである。
なお、前記縦框４，４は、室内に顕出するため化粧板で構成することが好ましく、いずれもその裏面（前記壁体Ｃ，Ｃの開口部Ｘと相対する面）には、前記下地材２の表面部と嵌合できるように、上下方向に所要の深さ切欠き部を形成した嵌合部４ａを有する。
なお、前記嵌合部４ａは、その深さが、前記下地材２の厚みよりも小さくなるように形成することが好ましい。
【００２５】
このような構成によって、前記壁体Ｃの内壁面７と縦框４の裏面との間には隙間が形成されるので、壁体Ｃの下部に設けられる巾木６の先端部６ａを折り返して収納することができる。
したがって、外側から見ると、巾木６が連続しているかのような印象を与えることができ、統一感・一体感のある、すっきりした外観を与えることができる。
なお、前記縦框４の幅は、壁体Ｃの幅と同幅とすることによって、外観上違和感が生じないよう工夫されている。
さらに、前記縦框４は、できるだけ薄くすることによって、よりすっきりとした外観を与えることが可能となる。
【００２６】
なお、前記巾木６は、前記壁体Ｃの前面又はこの前面に接する左右に接する側面に沿って設けられているが、部分的に設けることもできる。
その際、前記下地材２は、前記巾木６よりも上方に位置するように設けられるか、または、前記下地枠２を、その下端部が、前記巾木６を覆うよう所要深さ切り欠いて形成した切欠きを有するように構成してもよい。
【００２７】
このような構成によって、前記ドア枠の取付構造１は、前記巾木６を切断する必要がないので、その施工が容易で、リフォーム時などにおける後付けが可能なものである。
なお、前記下地材２は、図４に示すように、縦框４と一体化させ、当該縦框４の内面側の下部に、前記巾木６の厚みと同じ厚みの切欠き部を形成してもよい。
さらに、この考案においては、前記壁体Ｃの表面には、装丁用の化粧材を貼り付けることが好ましい。
【００２８】
さらに、この考案においては、前記下地材２と、前記縦框４と、前記壁体Ｃの表面に貼着する化粧材の色合いを互いに替えることで、その外観を向上させることができる。
【実施例１】
【００２９】
図３は、前記ドア枠の取付構造の施工方法の一例を示すものであって、まず、縦框４を取り付けようとする壁体Ｃ，Ｃ間の開口部Ｘにおいて、各壁体Ｃ，Ｃの左右の側壁Ｃ１と内端面Ｃ２に、石膏ボードからなる壁面ボード８をそれぞれ貼り付ける。（図３の２参照）
しかるのち、図３の３）に示すように、壁体Ｃと床面の接する部位に巾木６を取り付ける。
なお、前記各壁面ボード８は、化粧板で構成しても、あるいは無垢のボードの表面に化粧紙を貼着したものであってもよい。
【００３０】
ついで、前記下地材２を、各壁体Ｃ，Ｃの相対する壁体の中央部に接着などの手段によって固定したのち、相対する下地材２，２の上端部を連結板３によって相互に連結させて門型を形成する。
【００３１】
しかるのち、相対する下地材２，２の表面に縦框４，４を当接し、前記各縦框４の背面に形成された嵌合部４ａを、前記下地材２，２と係合させ固定し、各縦框４，４の上端部を横框５で相互に連結させて門型の枠部材を構成し、この枠部材の表面の相対する部位に戸当たり９，９を取り付けたのち、ドア１０の一方側を前記縦框４に設け、開閉用ドア１０を構成したものである。
【産業上の利用可能性】
【００３２】
この考案にかかるドア枠の取付構造は、施工が容易であって、リフォーム時などにおいて後付けが可能なもので、かつ意匠性に優れたものである。
したがって、建築業界において幅広く利用されるものである。
【符号の説明】
【００３３】
１          ドア枠の取付構造
２          下地材
３          連結板
４          縦框
５          横框
６          巾木
７          内壁面
８          壁面ボード
９          戸当たり
１０        ドア
Ｃ          壁体
Ｄ          ドア枠
Ｘ          開口部
【図１】
0003204489.tif 000003
【図２】
0003204489.tif 000004
【図３】
0003204489.tif 000005
【図４】
0003204489.tif 000006
【図５】
0003204489.tif 000007